(57)【要約】【課題】ガラスパネルの下方に配置された下框に歪みなどの変形が生じることを防止できる、ガラス付建具の構造を実現する。【解決手段】外障子３を構成する下框４２を、アルミニウム合金製である室外側下框５５と室内側下框５６とを、合成樹脂製の断熱材４７ｂ１、４７ｂ２により面外方向に連結した連結構造とし、ガラスパネル４５の下方に配置されたセッティングブロック６１の下面に設けられた脚部６３を、ガラス溝５３ｂの底部を構成する断熱材４７ｂ１を上下方向に挿通するように配置する。また、断熱材４７ｂ１の下方で、かつ、室外側下框５５と室内側下框５６との間部分に配置され、このうちの室外側下框５５に設けられた支承部６６により、脚部６３を支持する。【選択図】図４
2019015086.tif 000002
【特許請求の範囲】
【請求項１】
ガラスパネルと、このガラスパネルの下辺を支持する下框とを備え、
このうちの下框が、室外側下框と室内側下框とを断熱材を介して連結することにより構成されているとともに、前記下框のうちで、前記ガラスパネルの下辺が挿入されるガラス溝の底部の一部が、前記断熱材により構成されている、
ガラス障子であって、
前記ガラス溝の底部を構成する前記断熱材の下方に配置されるとともに、前記室外側下框と前記室内側下框とのうちの何れか一方に設けられた支承部により、その上面に前記ガラスパネルが載置されたセッティングブロックのうち、前記ガラス溝の底部を構成する前記断熱材に形成された貫通孔を上下方向に挿通した脚部を支承することを特徴とするガラス障子。
【請求項２】
前記支承部が設けられた前記室外側下框と前記室内側下框とのうちの前記何れか一方には、戸車が設けられている、請求項１に記載したガラス障子。
【発明の詳細な説明】
【技術分野】
【０００１】
本発明は、ガラスパネルとガラスパネルの下辺を支持する下框とを備えたガラス障子のうち、下框が、室外側下框と室内側下框とを断熱材により連結した構造を有する、断熱用のガラス障子の改良に関する。
【背景技術】
【０００２】
建物躯体の開口部には、採光や換気などを目的として、窓装置を設けることが行われている。このような窓装置を構成する窓枠の枠材や窓障子用の框材は、一般的にアルミニウム合金から造られている。ただし、アルミニウム合金は熱伝導率が高いため、枠材や框材の室内側部分の表面の温度は外気の温度に近くなり、そのままでは室内の冷暖房効果を損なう可能性があるだけでなく、冬期に結露が生じて、床やカーテンなどを汚損する可能性がある。
【０００３】
このような事情に鑑みて、特開平１０−１８４１９９号公報には、枠材や框材を、アルミニウム合金製の室外側フレームと合成樹脂製の室内側フレームとを連結して構成する構造が開示されている。このような従来構造の第１例では、室内側フレームを構成する合成樹脂の熱伝導率が低いため、室内側フレームの温度を、外気の温度に拘らず一定に保ち易くすることができる。このため、室内の冷暖房効果を向上させられるとともに、結露の発生を防止できる。ただし、このような従来構造の第１例では、枠材や框材の全体をアルミニウム合金製とした場合に比べて、耐久性や耐候性が低くなる。また、例えば窓装置の躯体取り付け作業時には、溶接による火花の影響や傷などの配慮も必要になる。
【０００４】
このような事情に鑑みて、特開平１０−１９６２２８号公報には、枠材や框材を、アルミニウム合金製の室外側フレーム及び室内側フレームと、これら室外側フレームと室内側フレームとを連結する合成樹脂製の断熱材とから構成する構造が開示されている。このような従来構造の第２例では、室外側フレームと室内側フレームとの間には、熱伝導率が低い合成樹脂製の断熱材が存在するため、これら室外側、室内側両フレーム同士の間での熱伝達量が少なくなる。このため、室内側フレームの温度を、外気の温度に拘らず一定に保ち易くすることができる。従って、室内の冷暖房効果を向上させられるとともに、結露の発生を防止できる。また、室内側フレームを合成樹脂製とした場合に比べて、耐久性及び耐候性の向上を図れる。さらに、窓装置の躯体取り付け作業時においても、溶接による火花の影響や傷などの配慮も軽減される。
【先行技術文献】
【特許文献】
【０００５】
【特許文献１】特開平１０−１８４１９９号公報
【特許文献２】特開平１０−１９６２２８号公報
【発明の概要】
【発明が解決しようとする課題】
【０００６】
ところが、上述したような従来構造の第２例の場合、次のような問題を生じる可能性がある。
例えば窓障子を構成する下框を、それぞれがアルミニウム合金製の室外側下框及び室内側下框と、これら室外側下框と室内側下框とを連結する合成樹脂製の断熱材とから構成した場合、断熱性能の向上を図るべく、断熱材をガラスパネルの下方に位置させると、ガラスパネルの重量の一部を断熱材によって支承しなければならなくなる。この結果、長期間にわたる使用により、断熱材に変形が生じて、下框に歪みが生じるなどの問題を生じる可能性がある。
本発明は、上述したような事情に鑑み、下框に歪みなどの変形が生じることを防止できる、ガラス障子の構造を実現すべく発明したものである。
【課題を解決するための手段】
【０００７】
本発明のガラス障子は、ガラスパネルと、このガラスパネルの下辺を支持する下框とを備える。
このうちの下框は、例えばそれぞれがアルミニウム合金製の室外側下框と室内側下框とを、例えばポリアミド６（ナイロン６）などの合成樹脂製で帯状（板状）の断熱材を介して連結することにより構成されている。また、前記下框のうちで、前記ガラスパネルの下辺が挿入されるガラス溝の底部の一部を、前記断熱材により構成している。
特に本発明では、前記ガラス溝の底部を構成する前記断熱材の下方に、前記室外側下框と前記室内側下框とのうちの何れか一方に設けられた支承部を配置している。そして、前記支承部により、上面に前記ガラスパネルが載置されたセッティングブロックのうち、前記ガラス溝の底部を構成する前記断熱材に形成された貫通孔を上下方向に挿通した脚部を支承する。これにより、前記ガラスパネルの重量を、前記セッティングブロックと前記支承部とを介して、前記室外側下框と前記室内側下框とのうちの前記何れか一方により支承する。
【０００８】
本発明を実施する場合に、前記支承部が設けられた前記室外側下框と前記室内側下框とのうちの前記何れか一方に、戸車を設けることができる。
また、本発明を実施する場合に、前記室外側下框又は前記室内側下框に前記支承部を設ける構造は特に問わないが、例えば、前記室外側下框の室内側面と前記室内側下框の室外側面とのうちの何れか一方の側面に開口した、例えばあり溝状の係合溝内に、前記室外側下框及び前記室内側下框とは別体の前記支承部に設けられた係合突条を係合させることや、支承部を前記室外側下框又は前記室内側下框と一体に押出成形することにより、この支承部を前記室外側下框と前記室内側下框のうちの前記何れか一方に直接設けることができる。
【０００９】
本発明では、前記室外側下框及び前記室内側下框それぞれを、アルミニウム合金製とすることができる。
アルミニウム合金としては、例えば、Ａ６０６３Ｓ−Ｔ５材（ＪＩＳ Ｈ ４１００）、すなわち、０．２０〜０．６重量％のＳｉと、０．３５重量％以下のＦｅと、０．１０重量％以下のＣｕと、０．１０重量％以下のＭｎと、０．４５〜０．９重量％のＭｇと、０．１０重量％以下のＣｒと、０．１０重量％以下のＺｎと、０．１０重量％以下のＴｉと、個々が０．０５重量％以下で合計が０．１５重量％以下の不可避不純物とを含み、残りをＡｌとしたものを、好ましく使用できる。
また、本発明では、前記断熱材を、例えばポリアミド６（ナイロン６）などの合成樹脂製で、帯状（板状）のものを使用することができる。
【発明の効果】
【００１０】
本発明によれば、ガラスパネルの重量を、セッティングブロック及び支承部を介して、下框を構成する室外側下框と室内側下框とのうちの何れか一方の部材に支承させることができる。このため、断熱材の変形を防止でき、下框に歪みなどの変形が生じることを防止できる。
【図面の簡単な説明】
【００１１】
【図１】図１は、本発明の実施の形態の第１例に係る窓装置を室内側から見た模式図である。
【図２】図２は、実施の形態の第１例に係る窓装置の面内方向片側半部における縦断面図である。
【図３】図３は、実施の形態の第１例に係る窓装置の横断面図である。
【図４】図４は、図２の下方部分に関する要部断面図である。
【図５】図５は、ガラスパネル及びセッティングブロックを省略し、図３の上方から見た図である。
【図６】図６は、実施の形態の第１例に係るセッティングブロックを取り出して示す、正面図（Ａ）、平面図（Ｂ）及び右側面図（Ｃ）である。
【図７】図７は、実施の形態の第１例に係るカバーを取り出して示す、正面図（Ａ）、平面図（Ｂ）及び右側面図（Ｃ）である。
【図８】図８は、実施の形態の第２例を示す、図４に相当する図である。
【図９】図９は、実施の形態の第２例に係るセッティングブロックを取り出して示す、正面図（Ａ）、平面図（Ｂ）及び右側面図（Ｃ）である。
【発明を実施するための形態】
【００１２】
［実施の形態の第１例］
実施の形態の第１例について、図１〜図７を参照して説明する。
本例は、引き違い式の窓装置１に、本発明を適用した場合を示している。窓装置１は、矩形枠状の窓枠２と、窓枠２の内側に面内方向（窓枠２の幅方向、水平方向）に関する移動可能に建て込まれた外障子３及び内障子４とを備えている。
【００１３】
窓枠２は、面内方向に配置されて上辺を構成する上枠５と、同じく面内方向に配置されて下辺を構成する下枠６と、鉛直方向に配置されて左右の縦辺を構成する１対の竪枠７ａ、７ｂとを備えている。そして、上枠５及び下枠６の面内方向両端部と１対の竪枠７ａ、７ｂの上下方向両端部とを、それぞれタッピングねじなどを用いて連結することにより、窓枠２を矩形枠（角部が直角状である四角枠）状に構成している。
【００１４】
本例では、窓装置１の断熱性能を高めるべく、窓枠２の面外方向中間部に、複数の断熱材８ａ１（８ａ２）〜８ｄ１（８ｄ２）により構成される、矩形枠状の枠側断熱ライン９を設けている。このために、上枠５、下枠６、及び、１対の竪枠７ａ、７ｂのそれぞれを、アルミニウム合金製の室外側フレーム（室外側枠材）及び室内側フレーム（室内側枠材）を、合成樹脂製の断熱材によって面外方向に連結した連結構造としている。
【００１５】
アルミニウム合金としては、例えば、Ａ６０６３Ｓ−Ｔ５材（ＪＩＳ Ｈ ４１００）、すなわち、０．２０〜０．６重量％のＳｉと、０．３５重量％以下のＦｅと、０．１０重量％以下のＣｕと、０．１０重量％以下のＭｎと、０．４５〜０．９重量％のＭｇと、０．１０重量％以下のＣｒと、０．１０重量％以下のＺｎと、０．１０重量％以下のＴｉと、個々が０．０５重量％以下で合計が０．１５重量％以下の不可避不純物とを含み、残りをＡｌとしたものを、好ましく使用できる。また、断熱材８ａ１（８ａ２）〜８ｄ１（８ｄ２）を構成する合成樹脂としては、ポリアミド６（ナイロン６）や、これにガラス繊維を含有したものなどを利用できる。
次に、窓枠２を構成する枠材ごとに、構造を具体的に説明する。
【００１６】
［上枠５の構造］
上枠５は、窓枠２の上辺を構成し、面内方向（図１及び図３の左右方向、図２の表裏方向）に配置されている。上枠５は、図２に示したように、それぞれがアルミニウム合金製である、室外側に配置された室外側上枠１０及び室内側に配置された室内側上枠１１を、上下方向に離隔する状態で互いに平行に配置された、合成樹脂製で帯状（板状）の１対の断熱材８ａ１、８ａ２により、面外方向（図１の表裏方向、図２の左右方向、図３の上下方向）に連結することにより構成されている。
【００１７】
このために、面外方向に対向する室外側上枠１０の室内側面と室内側上枠１１の室外側面とに、それぞれ上下方向に間隔をあけて係止凹溝１２ａ、１２ｂを形成している。そして、断熱材８ａ１、８ａ２のそれぞれの幅方向（面外方向）両端部を、互いに整合する位置に設けられた係止凹溝１２ａ、１２ｂ同士の間に挿入した状態で、これら係止凹溝１２ａ、１２ｂの上下方向幅を縮める（かしめる）ことで、室外側上枠１０と室内側上枠１１とを断熱材８ａ１、８ａ２を介して連結している。本例では、室外側上枠１０、室内側上枠１１及び１対の断熱材８ａ１、８ａ２が、上枠５の全長にわたり設けられている。
【００１８】
室外側上枠１０には、外障子３の上辺を案内するための上部外レール１３が設けられている。これに対し、室内側上枠１１には、内障子４の上辺を案内するための上部内レール１４が設けられている。
【００１９】
１対の断熱材８ａ１、８ａ２は、上枠５の面外方向中央部に位置しており、かつ、外障子３及び内障子４の上方（面外方向に関して外障子３及び内障子４とそれぞれ整合する部分）に配置されている。１対の断熱材８ａ１、８ａ２の間には、スポンジ状の発泡ポリエチレン１５が配置されている。
【００２０】
上部外レール１３と上部内レール１４との間部分には、下方に位置する断熱材８ａ１を下方から覆うように、上枠カバー１６が配置されている。上枠カバー１６は、硬質の塩化ビニル（ＰＶＣ）製で、断面略Ｔ字形に構成されており、上枠５の下面に支持されている。具体的には、上枠カバー１６は、その室外側端部を室外側上枠１０の下面に形成された係合溝１０ａに係合させるとともに、その室内側端部を室内側上枠１１の下面に対して下方からねじ１７で固定することで、上枠５に支持されている。本例では、上枠カバー１６の下端部が、面外方向に関して、外障子３の上端部の室内側面と内障子４の上端部の室外側面との間に進入している。
【００２１】
［下枠６の構造］
下枠６は、窓枠２の下辺を構成し、面内方向に配置されている。下枠６は、図２に示すように、それぞれがアルミニウム合金製である、室外側に配置された室外側下枠１８及び室内側に配置された室内側下枠１９を、上下方向に互いに離隔した状態で配置された、合成樹脂製で帯状の１対の断熱材８ｂ１、８ｂ２により、面外方向に連結することにより構成されている。
【００２２】
このために、面外方向に対向する室外側下枠１８の室内側面と室内側下枠１９の室外側面とに、それぞれ上下方向に間隔をあけて係止凹溝２０ａ、２０ｂを形成している。そして、断熱材８ｂ１、８ｂ２のそれぞれの幅方向（面外方向）両端部を、互いに整合する位置に設けられた係止凹溝２０ａ、２０ｂ同士の間に挿入した状態で、これら係止凹溝２０ａ、２０ｂの上下方向幅を縮めることで、室外側下枠１８と室内側下枠１９とを断熱材８ｂ１、８ｂ２を介して連結している。室外側下枠１８、室内側下枠１９及び１対の断熱材８ｂ１、８ｂ２は、下枠６の全長にわたり設けられている。
【００２３】
室外側下枠１８は、断面略矩形状の室外下枠本体２１と、外障子３の下辺を案内するための下部外レール２２ａを有する断面逆Ｙ字形の外レール部材２２とを、ねじ２３により結合することで構成されている。具体的には、室外下枠本体２１の室外側部の上面に、外レール部材２２をねじ２３により固定している。このため、室外下枠本体２１の室内側部は、外レール部材２２よりも下方に位置している。これに対し、室内側下枠１９は、全体が一体的に形成されており、断面略矩形状の室内下枠本体２４の上面の室内側部分に、内障子４の下辺を案内するための下部内レール２５が一体的に設けられている。また、室内側下枠１９の室内側端部には、室内下枠本体２４の上面の室内側端部に連続する状態で、断面クランク形の室内側立壁２６が設けられている。断熱材８ｂ１、８ｂ２の幅方向両端部を係止するための係止凹溝２０ａ、２０ｂは、室外下枠本体２１の室内側面及び室内下枠本体２４の室外側面に、それぞれ形成されている。
【００２４】
１対の断熱材８ｂ１、８ｂ２は、下枠６の面外方向中央部に位置しており、かつ、外障子３及び内障子４の下方（面外方向に関して外障子３及び内障子４とそれぞれ整合する部分）に配置されている。このため、本例では、室外側下枠１８の室内側端部よりも、外障子３の下端部（下框４２）の室内側端部のほうが、室内側に位置している。また、室外下枠本体２１の上面及び室内下枠本体２４の上面は、それぞれ略水平に配置されているが、室外下枠本体２１の上面の方が、室内下枠本体２４の上面よりも下方に位置している。このため、室外下枠本体２１の上面と室内下枠本体２４の上面とを面外方向に連続させるように設けられた、断熱材８ｂ１の上面は、室外側に向かうほど下方に向かう方向に傾斜している。
【００２５】
本例では、下部外レール２２ａと下部内レール２５との間部分に、断熱材８ｂ１を上方から覆うように、下枠カバー２７を配置している。下枠カバー２７は、面内方向に関して外障子３が閉鎖状態で位置する片側半部（図１及び図３の左側半部）に配置された第１下枠カバー２８と、面内方向に関して内障子４が閉鎖状態で位置する他側半部（図１及び図３の右側半部）に配置された第２下枠カバー２９とから構成されている。
【００２６】
第１下枠カバー２８は、室外側に配置された塩化ビニル（ＰＶＣ）製の第１室外側下枠カバー片３０と、室内側に配置されたアルミニウム合金製の第１室内側下枠カバー片３１とから構されている。これに対し、第２下枠カバー２９は、室外側に配置されたアルミニウム合金製の第２室外側下枠カバー片３２と、室内側に配置された塩化ビニル製の第２室内側下枠カバー片３３とから構成されている。このように本例では、下枠６の面内方向片側半部と他側半部とで、塩化ビニル製の下枠カバー片とアルミニウム合金製の下枠カバー片との、面外方向に関する取付位置が反対になっている。なお、第１下枠カバー２８及び第２下枠カバー２９は、それぞれ固定ブロック３４を介して、下枠６の上面に支持されている。
【００２７】
［竪枠７ａ、７ｂの構造］
左右の竪枠７ａ、７ｂのうち、面内方向に関して片側（図１及び図３の左側）に配置された竪枠７ａは、それぞれがアルミニウム合金製である室外側に配置された第１室外側竪枠３５及び室内側に配置された第１室内側竪枠３６を、面内方向に離隔する状態で互いに平行に配置された、合成樹脂製で帯状の１対の断熱材８ｃ１、８ｃ２により、面外方向に連結することにより構成されている。
【００２８】
このために、面外方向に対向する第１室外側竪枠３５の室内側面と第１室内側竪枠３６の室外側面とに、それぞれ面内方向に間隔をあけて係止凹溝３７ａ、３７ｂを形成している。そして、断熱材８ｃ１、８ｃ２のそれぞれの幅方向両端部を、互いに整合する位置に設けられた係止凹溝３７ａ、３７ｂ同士の間に挿入した状態で、これら係止凹溝３７ａ、３７ｂの面内方向幅を縮めることで、第１室外側竪枠３５と第１室内側竪枠３６とを断熱材８ｃ１、８ｃ２を介して連結している。本例の場合には、このような状態で、断熱材８ｃ１、８ｃ２が、外障子３の側方（面外方向に関して外障子３と整合する室外寄り部分）に配置されている。
【００２９】
左右の竪枠７ａ、７ｂのうち、面内方向に関して他側（図１及び図３の右側）に配置された竪枠７ｂは、それぞれがアルミニウム合金製である室外側に配置された第２室外側竪枠３８及び室内側に配置された第２室内側竪枠３９を、面内方向に離隔する状態で互いに平行に配置された、合成樹脂製で帯状の１対の断熱材８ｄ１、８ｄ２により、面外方向に連結することにより構成されている。
【００３０】
このために、面外方向に対向する第２室外側竪枠３８の室内側面と第２室内側竪枠３９の室外側面とに、それぞれ面内方向に間隔をあけて係止凹溝４０ａ、４０ｂを形成している。そして、断熱材８ｄ１、８ｄ２のそれぞれの幅方向両端部を、互いに整合する位置に設けられた係止凹溝４０ａ、４０ｂ同士の間に挿入した状態で、これら係止凹溝４０ａ、４０ｂの面内方向幅を縮めることで、第２室外側竪枠３８と第２室内側竪枠３９とを断熱材８ｄ１、８ｄ２を介して連結している。本例の場合には、このような状態で、断熱材８ｄ１、８ｄ２が、内障子４の側方（面外方向に関して内障子４と整合する室内寄り部分）に配置されている。
【００３１】
上述のような各枠材を連結することで構成される本例の窓枠２には、四方に配置された断熱材８ａ１（８ａ２）、８ｂ１（８ｂ２）、８ｃ１（８ｃ２）、８ｄ１（８ｄ２）により構成される枠側断熱ライン９が形成されている。このような窓枠２の内側に、面内方向に移動可能に建て込まれる外障子３及び内障子４の構造について、以下、それぞれ具体的に説明する。
【００３２】
［外障子３の全体構造］
外障子３は、上辺を構成する上框４１と、下辺を構成する下框４２と、それぞれが左右の縦辺を構成する縦框である召し合わせ框４３及び戸先框４４とにより、矩形板状のガラスパネル４５の四辺を囲むことにより構成されている。また、ガラスパネル４５の三方を取り囲むように、外障子３を構成する各框４１〜４４により構成される框枠体４６に、複数の断熱材４７ａ１（４７ａ２）〜４７ｃ１（４７ｃ２）により構成された框側断熱ライン４８ａを設けている。そして、このために、框枠体４６を構成する上框４１、下框４２及び戸先框４４のそれぞれを、アルミニウム合金製の室外側フレーム（室外側框材）及び室内側フレーム（室内側框材）を、合成樹脂製の断熱材によって面外方向に連結した連結構造としている。また、断熱性能の向上を図るべく、框側断熱ライン４８ａの面外方向に関する形成位置を、窓枠２に設けられた枠側断熱ライン９と重畳させている。具体的には、外障子３の面外方向室内側に框側断熱ライン４８ａを形成している。なお、このため、戸車４９は面外方向室外側に設けられている。
なお、框枠体４６を構成する各框４１〜４４に関しても、アルミニウム合金として、例えば、Ａ６０６３Ｓ−Ｔ５材（ＪＩＳ Ｈ ４１００）を使用することができ、断熱材を構成する合成樹脂としては、ポリアミド６（ナイロン６）や、これにガラス繊維を含有したものなどを利用できる。また、図示の例では、ガラスパネル４５として、複層（３層）ガラスを使用した例を示しているが、２層ガラスや断熱性能を有する単層ガラスを使用することもできる。
【００３３】
［外障子３を構成する上框４１の構造］
上框４１は、図２に示すように、それぞれがアルミニウム合金製である、室外側に配置された室外側上框５０及び室内側に配置された室内側上框５１を、上下方向に離隔する状態で互いに平行に配置された合成樹脂製で帯状の１対の断熱材４７ａ１、４７ａ２により、面外方向に連結することにより構成されている。
【００３４】
このために、面外方向に対向する室外側上框５０の室内側面と室内側上框５１の室外側面とに、それぞれ上下方向に間隔をあけて係止凹溝５２ａ、５２ｂを形成している。そして、断熱材４７ａ１、４７ａ２のそれぞれの幅方向両端部を、互いに整合する位置に設けられた係止凹溝５２ａ、５２ｂ同士の間に挿入した状態で、これら係止凹溝５２ａ、５２ｂの上下方向幅を縮めることで、室外側上框５０と室内側上框５１とを断熱材４７ａ１、４７ａ２を介して連結している。本例では、このような状態で、上框４１の下端部に、ガラスパネル４５の上辺が挿入されるガラス溝５３ａが設けられている。また、断熱材４７ａ１、４７ａ２は、ガラスパネル４５の上方（面外方向に関してガラスパネル４５と整合する部分）に配置されており、下方に配置された断熱材４７ａ１は、ガラス溝５３ａの底部の一部（室内側半部）を構成している。また、室外側上框５０の上端部には、上面に開口する状態で、上部外レール１３と係合可能な上部外案内溝５４が設けられている。
【００３５】
［外障子３を構成する下框４２の構造］
下框４２は、図２に示すように、それぞれがアルミニウム合金製である、室外側に配置された室外側下框５５及び室内側に配置された室内側下框５６を、上下方向に離隔する状態で互いに平行に配置された合成樹脂製で帯状の１対の断熱材４７ｂ１、４７ｂ２により、面外方向に連結することにより構成されている。
【００３６】
このために、面外方向に対向する室外側下框５５の室内側面と室内側下框５６の室外側面とに、それぞれ上下方向に間隔をあけて係止凹溝５７ａ、５７ｂを形成している。そして、断熱材４７ｂ１、４７ｂ２のそれぞれの幅方向両端部を、互いに整合する位置に設けられた係止凹溝５７ａ、５７ｂ同士の間に挿入した状態で、これら係止凹溝５７ａ、５７ｂの上下方向幅を縮めることで、室外側下框５５と室内側下框５６とを断熱材４７ｂ１、４７ｂ２を介して連結している。本例では、このような状態で、下框４２の上端部に、ガラスパネル４５の下辺が挿入されるガラス溝５３ｂが設けられている。また、断熱材４７ｂ１、４７ｂ２は、ガラスパネル４５の下方（面外方向に関してガラスパネル４５と整合する部分）に配置されており、上方に配置された断熱材４７ｂ１は、ガラス溝５３ｂの底部の一部（室内側半部）を構成している。また、室外側下框５５には、下部外レール２２ａと係合可能な戸車４９が設けられている。
【００３７】
［外障子３を構成する召し合わせ框４３の構造］
召し合わせ框４３は、図３に示すように、全体がアルミニウム合金製で、外障子３を構成するその他の框枠材４１、４２、４４のように、断熱材を備えていない。召し合わせ框４３の面内方向に関する片側端部には、ガラスパネル４５の側辺を挿入するためのガラス溝５３ｃが設けられている。
【００３８】
［外障子３を構成する戸先框４４の構造］
戸先框４４は、図３に示すように、それぞれがアルミニウム合金製である、室外側に配置された室外側戸先框５８及び室内側に配置された室内側戸先框５９を、面内方向に離隔する状態で互いに平行に配置された、合成樹脂製で帯状の１対の断熱材４７ｃ１、４７ｃ２により、面外方向に連結することにより構成されている。
【００３９】
このために、面外方向に対向する室外側戸先框５８の室内側面と室内側戸先框５９の室外側面とに、それぞれ面内方向に間隔をあけて係止凹溝６０ａ、６０ｂを形成している。そして、断熱材４７ｃ１、４７ｃ２のそれぞれの幅方向両端部を、互いに整合する位置に設けられた係止凹溝６０ａ、６０ｂ同士の間に挿入した状態で、これら係止凹溝６０ａ、６０ｂの面内方向幅を縮めることで、室外側戸先框５８と室内側戸先框５９とを断熱材４７ｃ１、４７ｃ２を介して連結している。本例では、このような状態で、戸先框４４の面内方向に関する他側端部に、ガラスパネル４５の側辺が挿入されるガラス溝５３ｄが設けられている。また、断熱材４７ｃ１、４７ｃ２は、ガラスパネル４５の側方（面外方向に関してガラスパネル４５と整合する部分）に配置されており、面内方向に関して他側に配置された断熱材４７ｃ１は、ガラス溝５３ｄの底部の一部を構成している。
【００４０】
［外障子３に関するガラスパネル４５の支持構造］
本例では、上述のような構成を有する框枠体４６に設けられたガラス溝５３ａ〜５３ｄの内側に、ガラスパネル４５を設けている。ガラスパネル４５の下方には、図６に示すような、セッティングブロック６１が設けられている。セッティングブロック６１は、例えばポリアミド６（ナイロン６）などの合成樹脂製で、面内方向に関して下框４２の両側端部に設けられており、矩形板状のブロック本体６２と、ブロック本体６２の下面から下方に伸長した１対の脚部６３とを備えている。１対の脚部６３は、面内方向に互いに離隔しており、それぞれが略円柱状に構成されている。また、脚部６３の長さ方向中間部には、上下方向両側に隣接する部分に比べて外径寸法が僅かに大きくなった抜け止め部６４が設けられている。
【００４１】
本例では、セッティングブロック６１のうち、ブロック本体６２の室外側半部の下面を、下框４２のガラス溝５３ｂの底部の室外側半部を構成する室外側下框５５の上面に載置し、この状態で、１対の脚部６３を、ガラス溝５３ｂの底部の室内側半部を構成する断熱材４７ｂ１を上下方向に挿通するように配置している。このために、断熱材４７ｂ１の面内方向に関する両端部に、１対の貫通孔６５を板厚方向に貫通するように形成している。貫通孔６５は、円孔であり、その内径寸法は、脚部６３のうち、抜け止め部６４の外径寸法よりも僅かに小さく、かつ、抜け止め部６４から外れた部分の外径寸法よりも僅かに大きい。また、１対の貫通孔６５のピッチは、１対の脚部６３のピッチと同じに設定されている。本例では、１対の貫通孔６５内に、１対の脚部６３をそれぞれ上方から下方に向けて挿通する。この際、抜け止め部６４が貫通孔６５を通過するまで脚部６３を押し込み、抜け止め部６４を断熱材４７ｂ１よりも下方に位置させる。これにより、断熱材４７ｂ１の貫通孔６５からセッティングブロック６１の脚部６３が不用意に上方に抜け出ることを防止している。
【００４２】
また、断熱材４７ｂ１の下方（及び断熱材４７ｂ２の上方）で、かつ、面外方向に関して室外側下框５５と室内側下框５６との間部分に、それぞれが金属製（例えばアルミニウム合金製）の１対の支承部６６を設けている。支承部６６は、断面台形状で、それぞれ中空状に構成されており、面内方向に関して下框４２の両側端部に設けられている。また、支承部６６には、上端面に平坦面状の支承面６７が設けられているとともに、室外側面に上下方向両側に突出した係合突条６８が設けられている。このような支承部６６は、室外側下框５５の室内側面に開口したあり溝状の係合溝６９に係合突条６８を係合（スライド嵌合）させることで、戸車４９を備えた室外側下框５５に対して支持されている。また、この状態で、支承部６６を構成する支承面６７には、セッティングブロック６１を構成する１対の脚部６３を載置している。つまり、セッティングブロック６１の脚部６３を、支承部６６により下方から支持している。
【００４３】
このため、本例では、ガラスパネル４５の重量の一部を、セッティングブロック６１と支承部６６とを介して、戸車４９を備えた室外側下框５５により支承している。なお、ガラスパネル４５の重量の残部は、セッティングブロック６１のブロック本体６２を介して、室外側下框５５の上面によって支承される。つまり、ガラスパネル４５の重量全体を、戸車４９を介して下枠６に支持された、室外側下框５５により支承している。このように本例では、ガラスパネル４５の重量が、断熱材４７ｂ１に加わることを防止している。また、ガラスパネル４５の外周縁寄り部分の両側面と、ガラス溝５３ａ〜５３ｄの開口部との間部分を、それぞれシール材７０ａ、７０ｂによりそれぞれ全周にわたりシールしている。
【００４４】
［内障子４の全体構造］
内障子４は、上辺を構成する上框７１と、下辺を構成する下框７２と、それぞれが左右の縦辺を構成する縦框である召し合わせ框７３及び戸先框７４とにより、矩形板状のガラスパネル７５の四辺を囲むことにより構成されている。また、本例では、ガラスパネル７５の周囲を取り囲むように、内障子４を構成する各框７１〜７４により構成される框枠体７６に、複数の断熱材４７ｄ１（４７ｄ２）〜４７ｇ１（４７ｇ２）により構成された框側断熱ライン４８ｂを設けている。そして、このために、框枠体７６を構成する上框７１、下框７２、召し合わせ框７３及び戸先框７４のそれぞれを、アルミニウム合金製の室外側フレーム（室外側框材）及び室内側フレーム（室内側框材）を、合成樹脂製の断熱材によって面外方向に連結した連結構造としている。また、断熱性能の向上を図るべく、框側断熱ライン４８ｂの面外方向に関する形成位置を、窓枠２に設けられた枠側断熱ライン９と重畳させている。具体的には、内障子４の面外方向室外側に框側断熱ライン４８ｂを形成している。なお、このため、戸車４９は面外方向室内側に設けられている。
なお、框枠体７６を構成する各框７１〜７４に関しても、アルミニウム合金として、例えば、Ａ６０６３Ｓ−Ｔ５材（ＪＩＳ Ｈ ４１００）を使用することができ、断熱材を構成する合成樹脂としては、ポリアミド６（ナイロン６）や、これにガラス繊維を含有したものなどを利用できる。また、図示の例では、ガラスパネル７５として、複層（３層）ガラスを使用した例を示しているが、２層ガラスや断熱性能を有する単層ガラスを使用することもできる。
【００４５】
［内障子４を構成する上框７１の構造］
上框７１は、図２に示すように、それぞれがアルミニウム合金製である、室外側に配置された室外側上框７７及び室内側に配置された室内側上框７８を、上下方向に離隔する状態で互いに平行に配置された、合成樹脂製で帯状の１対の断熱材４７ｄ１、４７ｄ２により、面外方向に連結することにより構成されている。
【００４６】
このために、面外方向に対向する室外側上框７７の室内側面と室内側上框７８の室外側面とに、それぞれ上下方向に間隔をあけて係止凹溝７９ａ、７９ｂを形成している。そして、断熱材４７ｄ１、４７ｄ２のそれぞれの幅方向両端部を、互いに整合する位置に設けられた係止凹溝７９ａ、７９ｂ同士の間に挿入した状態で、これら係止凹溝７９ａ、７９ｂの上下方向幅を縮めることで、室外側上框７７と室内側上框７８とを断熱材４７ｄ１、４７ｄ２を介して連結している。本例では、このような状態で、上框７１の下端部に、ガラスパネル７５の上辺が挿入されるガラス溝８０ａが設けられている。また、断熱材４７ｄ１、４７ｄ２は、ガラスパネル７５の上方（面外方向に関してガラスパネル７５と整合する部分）に配置されており、下方に配置された断熱材４７ｄ１は、ガラス溝８０ａの底部の一部（室外側半部）を構成している。また、室内側上框７８の上端部には、上面に開口する状態で、上部内レール１４と係合可能な上部内案内溝８１が設けられている。
【００４７】
［内障子４を構成する下框７２の構造］
下框７２は、図２に示すように、それぞれがアルミニウム合金製である、室外側に配置された室外側下框８２及び室内側に配置された室内側下框８３を、上下方向に離隔する状態で互いに平行に配置された、合成樹脂製で帯状の１対の断熱材４７ｅ１、４７ｅ２により、面外方向に連結することにより構成されている。
【００４８】
このために、面外方向に対向する室外側下框８２の室内側面と室内側下框８３の室外側面とに、それぞれ上下方向に間隔をあけて係止凹溝８４ａ、８４ｂを形成している。そして、断熱材４７ｅ１、４７ｅ２のそれぞれの幅方向両端部を、互いに整合する位置に設けられた係止凹溝８４ａ、８４ｂ同士の間に挿入した状態で、これら係止凹溝８４ａ、８４ｂの上下方向幅を縮めることで、室外側下框８２と室内側下框８３とを断熱材４７ｅ１、４７ｅ２を介して連結している。本例では、このような状態で、下框７２の上端部に、ガラスパネル７５の下辺が挿入されるガラス溝８０ｂが設けられている。また、断熱材４７ｅ１、４７ｅ２は、ガラスパネル７５の下方（面外方向に関してガラスパネル７５と整合する部分）に配置されており、上方に配置された断熱材４７ｅ１は、ガラス溝８０ｂの底部の一部（室外側半部）を構成している。また、室内側下框８３には、下部内レール２５と係合可能な戸車４９が設けられている。
【００４９】
［内障子４を構成する召し合わせ框７３の構造］
召し合わせ框７３は、図３に示すように、それぞれがアルミニウム合金製である、室外側に配置された室外側召し合わせ框８５及び室内側に配置された室内側召し合わせ框８６を、面内方向に離隔する状態で互いに平行に配置された、合成樹脂製で帯状の１対の断熱材４７ｆ１、４７ｆ２により、面外方向に連結することにより構成されている。
【００５０】
このために、面外方向に対向する室外側召し合わせ框８５の室内側面と室内側召し合わせ框８６の室外側面とに、それぞれ面内方向に間隔をあけて係止凹溝８７ａ、８７ｂを形成している。そして、断熱材４７ｆ１、４７ｆ２のそれぞれの幅方向両端部を、互いに整合する位置に設けられた係止凹溝８７ａ、８７ｂ同士の間に挿入した状態で、これら係止凹溝８７ａ、８７ｂの面内方向幅を縮めることで、室外側召し合わせ框８５と室内側召し合わせ框８６とを断熱材４７ｆ１、４７ｆ２を介して連結している。本例では、このような状態で、召し合わせ框７３の面内方向に関する片側端部に、ガラスパネル７５の側辺が挿入されるガラス溝８０ｃが設けられている。また、断熱材４７ｆ１、４７ｆ２は、ガラスパネル７５の側方（面外方向に関してガラスパネル７５と整合する部分）に配置されており、面内方向に関して片側に配置された断熱材４７ｆ１は、ガラス溝８０ｃの底部の一部を構成している。
【００５１】
［内障子４を構成する戸先框７４の構造］
戸先框７４は、図３に示したように、それぞれがアルミニウム合金製である、室外側に配置された室外側戸先框８８及び室内側に配置された室内側戸先框８９を、面内方向に離隔する状態で互いに平行に配置された、合成樹脂製で帯状の１対の断熱材４７ｇ１、４７ｇ２により、面外方向に連結することにより構成されている。
【００５２】
このために、面外方向に対向する室外側戸先框８８の室内側面と室内側戸先框８９の室外側面とに、それぞれ面内方向に間隔をあけて係止凹溝９０ａ、９０ｂを形成している。そして、断熱材４７ｇ１、４７ｇ２のそれぞれの幅方向両端部を、互いに整合する位置に設けられた係止凹溝９０ａ、９０ｂ同士の間に挿入した状態で、これら係止凹溝９０ａ、９０ｂの面内方向幅を縮めることで、室外側戸先框８８と室内側戸先框８９とを断熱材４７ｇ１、４７ｇ２を介して連結している。本例では、このような状態で、戸先框７４の面内方向に関する他側端部に、ガラスパネル７５の側辺が挿入されるガラス溝８０ｄが設けられている。また、断熱材４７ｇ１、４７ｇ２は、ガラスパネル７５の側方（面外方向に関してガラスパネル７５と整合する部分）に配置されており、面内方向に関して他側に配置された断熱材４７ｇ１は、ガラス溝８０ｄの底部の一部を構成している。
【００５３】
［内障子４に関するガラスパネル７５の支持構造］
本例では、上述のような構成を有する框枠体７６に設けられたガラス溝８０ａ〜８０ｄの内側に、ガラスパネル７５を設けている。ガラスパネル７５の下方には、外障子３の場合と同様に、図６に示すような、セッティングブロック６１を設けている。本例でも、セッティングブロック６１を、面内方向に関して下框７２の両側端部に設けている。そして、セッティングブロック６１のうち、ブロック本体６２の室内側半部の下面を、下框７２のガラス溝８０ｂの底部の室内側半部を構成する室内側下框８３の上面に載置し、この状態で、１対の脚部６３を、ガラス溝８０ｂの底部の室外側半部を構成する断熱材４７ｅ１を上下方向に挿通するように配置している。このために、断熱材４７ｅ１の面内方向に関する両端部に、断熱材４７ｂ１と同様に１対の貫通孔６５を形成している。そして、本例でも、１対の貫通孔６５内に１対の脚部６３をそれぞれ上方から下方に向けて挿通する際に、抜け止め部６４を断熱材４７ｅ１よりも下方に位置させる。これにより、断熱材４７ｅ１の貫通孔６５からセッティングブロック６１の脚部６３が不用意に上方に抜け出ることを防止している。
【００５４】
また、断熱材４７ｅ１の下方（断熱材４７ｅ２の上方）で、かつ、面外方向に関して室外側下框８２と室内側下框８３との間部分に、それぞれが金属製（例えばアルミニウム合金製）の１対の支承部９１を設けている。支承部９１は、外障子３に設けられた支承部６６と同様に、断面台形状で、それぞれ中空状に構成されており、面内方向に関して下框７２の両側端部に設けられている。また、支承部９１には、上端面に平坦面状の支承面９２が設けられているとともに、室内側面に上下方向両側に突出した係合突条９３が設けられている。このような支承部９１は、室内側下框８３の室外側面に開口したあり溝状の係合溝９４に係合突条９３を係合（スライド嵌合）させることで、室内側下框８３に対して支持されている。また、この状態で、支承部９１を構成する支承面９２には、セッティングブロック６１を構成する１対の脚部６３を載置している。つまり、セッティングブロック６１の脚部６３を、支承部９１により下方から支持している。
【００５５】
このため、本例では、ガラスパネル７５の重量の一部を、セッティングブロック６１と支承部９１とを介して、戸車４９を備えた室内側下框８３により支承している。なお、ガラスパネル７５の重量の残部は、セッティングブロック６１のブロック本体６２を介して、室内側下框８３の上面によって支承される。つまり、ガラスパネル７５の重量全体を、戸車４９を介して下枠６に支持された、室内側下框８３により支承している。このように本例では、ガラスパネル７５の重量が、断熱材４７ｅ１に加わることを防止している。また、ガラスパネル７５の外周縁寄り部分の両側面と、ガラス溝８０ａ〜８０ｄの開口部との間部分を、それぞれシール材９５ａ、９５ｂによりそれぞれ全周にわたりシールしている。
【００５６】
また、外障子３を構成する下框４２に設けられた支承部６６、及び、内障子４を構成する下框７２に設けられた支承部９１のそれぞれの長手方向端部には、図７に示したような、カバー９６を装着することができる。カバー９６は、例えばポリプロピレンなどの合成樹脂製で、塞ぎ板部９７と、断面コ字形状の挿入部９８とを備えている。そして、このうちの挿入部９８を、支承部６６、９１のそれぞれの開口部の内側に圧入することで、支承部６６、９１の端面を塞ぎ板部９７により覆う。なお、カバー９６は、支承部６６、９１を下框４２、７２の端部からスライド嵌合する際、支承部６６、９１が面内方向に入り込み過ぎないようにするためのストッパ機能も有している。
【００５７】
以上のような構成を有する本例の窓装置１によれば、外障子３を構成する下框４２の断熱性能を高めるべく、該下框４２を、それぞれがアルミニウム合金製の室外側下框５５と室内側下框５６とを１対の断熱材４７ｂ１、４７ｂ２により連結した連結構造とした場合にも、外障子３を構成するガラスパネル４５の重量を、断熱材４７ｂ１、４７ｂ２によって支承しなくて済む。すなわち、本例では、セッティングブロック６１を構成する脚部６３を、断熱材４７ｂ１の貫通孔６５を挿通させて、室外側下框５５に支持された支承部６６の支承面６７に載置している。このため、ガラスパネル４５の下方に配置された断熱材４７ｂ１に、ガラスパネル４５の重量が加わることを防止できる。したがって、断熱材４７ｂ１、４７ｂ２の変形を防止することができ、下框４２に歪みなどの変形が生じることを防止できる。
【００５８】
また、内障子４に関しても同様に、下框７２の断熱性能を高めるべく、該下框７２を、それぞれがアルミニウム合金製の室外側下框８２と室内側下框８３とを１対の断熱材４７ｅ１、４７ｅ２により連結した連結構造とした場合にも、内障子４を構成するガラスパネル７５の重量を、断熱材４７ｅ１、４７ｅ２によって支承しなくて済む。すなわち、本例では、セッティングブロック６１を構成する脚部６３を、断熱材４７ｅ１の貫通孔６５を挿通させて、室内側下框８３に支持された支承部９１の支承面９２に載置している。このため、ガラスパネル７５の下方に配置された断熱材４７ｅ１に、ガラスパネル７５の重量が加わることを防止できる。したがって、断熱材４７ｅ１、４７ｅ２の変形を防止することができ、下框７２に歪みなどの変形が生じることを防止できる。
【００５９】
さらに本例では、窓枠２のうち、外障子３が閉鎖状態で位置する面内方向片側部分と、内障子４が位置する面内方向他側部分とで、共通の枠側断熱ライン９を形成しているが、面内方向片側に位置する竪枠７ａの断熱材８ｃ１（８ｃ２）と、面内方向他側に位置する竪枠７ｂの断熱材８ｄ１（８ｄ２）との、面外方向位置をずらしている。具体的には、面内方向片側に位置する竪枠７ａの断熱材８ｃ１（８ｃ２）は、外障子３と対向する位置に設けているのに対し、面内方向他側に位置する竪枠７ｂの断熱材８ｄ１（８ｄ２）は、内障子４と対向する位置に設けている。加えて、上枠５及び下枠６を構成する断熱材８ａ１（８ａ２）、８ｂ１（８ｂ２）は、竪枠７ａの断熱材８ｃ１（８ｃ２）及び竪枠７ｂの断熱材８ｄ１（８ｄ２）に対してそれぞれ面外方向に整合するように、面外方向中央部に設けている。したがって、本例では、枠側断熱ライン９よりも室外側に存在する各枠材（室外側上枠１０、室外側下枠１８、第１室外側竪枠３５、第２室外側竪枠３８）の温度が外気の温度に近づいた（例えば冷やされた）場合にも、枠側断熱ライン９よりも室内側に存在する各枠材（室内側上枠１１、室内側下枠１９、第１室内側竪枠３６、第２室内側竪枠３９）の温度が、外気の温度に応じて変化することを有効に防止できる。このため、例えば、面外方向に関して外障子と整合する部分にのみ断熱ラインを形成した場合のように、内障子全体が断熱ラインよりも室内側に位置することに起因して、窓枠のうちで内障子を支持した各枠材の室内側部分（室内側フレーム）の温度が、外気の温度に応じて変化し易くなることを防止できる。
【００６０】
［実施の形態の第２例］
実施の形態の第２例について、図８及び図９を用いて説明する。
本例では、ガラスパネル４５、７５の下方に配置するセッティングブロック６１ａとして、実施の形態の第１例の構造に比べて、脚部６３ａの全長が短いものを使用している。具体的には、本例のセッティングブロック６１ａの脚部６３ａは、軸方向中間部に外径寸法が大きくなった抜け止め部を有しておらず、その全長は、断熱材４７ｂ１、４７ｅ１の板厚よりもわずかに大きい程度である。
【００６１】
上述したように本例では、セッティングブロック６１ａとして、脚部６３ａの全長が短いものを使用しているため、脚部６３ａを下方から支持する支承部６６ａ、９１ａとして、実施の形態の第１例で使用した支承部６６、９１に比べて、支承面６７ａ、９２ａが上方に張り出した状態で設けられたものを使用している。ただし、支承面６７ａ、９２ａと、断熱材４７ｂ１、４７ｅ１との間には、支承部６６、９１を、下框４２、７２の両側端部からスライド嵌合させることが可能な隙間（クリアランス）が設けられている。
【００６２】
以上のような構成を有する本例でも、断熱材４７ｂ１、４７ｅ１に形成した貫通孔６５を上下方向に挿通させた脚部６３ａを、室外側下框５５に支持された支承部６６ａの支承面６７ａ、及び、室内側下框８３に支持された支承部９１ａの支承面９２ａにより、それぞれ支持しているため、断熱材４７ｂ１、４７ｅ１に、ガラスパネル４５、７５の重量が加わることを防止できる。その他の構成及び作用効果については、実施の形態の第１例と同じである。
【００６３】
本発明は、引き違い式の窓装置に限らず、片引き式の窓装置や両引き式の窓装置に適用することもできる。また、本発明は、ガラスパネルの重量を支承する支承部を、下框を構成する室外側下框及び室内側下框とは別体に構成し、この支承部を、これら室外側下框と室内側下框とのうちの何れか一方の部材に支持する構造を採用できる他、支承部を、室外側下框と室内側下框とのうちの何れか一方の部材に直接設ける構造を採用することもできる。
【符号の説明】
【００６４】
１    窓装置
２    窓枠
３    外障子
４    内障子
５    上枠
６    下枠
７ａ、７ｂ  竪枠
８ａ１、８ａ２〜８ｄ１、８ｄ２断熱材
９    枠側断熱ライン
１０    室外側上枠
１０ａ    係合溝
１１    室内側上枠
１２ａ、１２ｂ  係止凹溝
１３    上部外レール
１４    上部内レール
１５    発泡ポリエチレン
１６    上枠カバー
１７    ねじ
１８    室外側下枠
１９    室内側下枠
２０ａ、２０ｂ  係止凹溝
２１    室外下枠本体
２２    外レール部材
２２ａ  下部外レール
２３    ねじ
２４    室内下枠本体
２５    下部内レール
２５ａ  張出板部
２６    室内側立壁
２７    下枠カバー
２８    第１下枠カバー
２９    第２下枠カバー
３０    第１室外側下枠カバー片
３１    第１室内側下枠カバー片
３２    第２室外側下枠カバー片
３３    第２室内側下枠カバー片
３４    固定ブロック
３５    第１室外側竪枠
３６    第１室内側竪枠
３７ａ、３７ｂ  係止凹溝
３８    第２室外側竪枠
３９    第２室内側竪枠
４０ａ、４０ｂ  係止凹溝
４１    上框
４２    下框
４３    召し合わせ框
４４    戸先框
４５    ガラスパネル
４６    框枠体
４７ａ１、４７ａ２〜４７ｇ１、４７ｇ２  断熱材
４８ａ、４８ｂ  框側断熱ライン
４９    戸車
５０    室外側上框
５１    室内側上框
５２ａ、５２ｂ  係止凹溝
５３ａ〜５３ｄ  ガラス溝
５４    上部外案内溝
５５    室外側下框
５６    室内側下框
５７ａ、５７ｂ  係止凹溝
５８    室外側戸先框
５９    室内側戸先框
６０ａ、６０ｂ  係止凹溝
６１、６１ａ  セッティングブロック
６２    ブロック本体
６３、６３ａ  脚部
６４    抜け止め部
６５    貫通孔
６６、６６ａ  支承部
６７、６７ａ  支承面
６８    係合突条
６９    係合溝
７０ａ、７０ｂ  シール材
７１    上框
７２    下框
７３    召し合わせ框
７４    戸先框
７５    ガラスパネル
７６    框枠体
７７    室外側上框
７８    室内側上框
７９ａ、７９ｂ  係止凹溝
８０ａ〜８０ｄ  ガラス溝
８１    上部内案内溝
８２    室外側下框
８３    室内側下框
８４ａ、８４ｂ  係止凹溝
８５    室外側召し合わせ框
８６    室内側召し合わせ框
８７ａ、８７ｂ  係止凹溝
８８    室外側戸先框
８９    室内側戸先框
９０ａ、９０ｂ  係止凹溝
９１、９１ａ  支承部
９２、９２ａ  支承面
９３    係合突条
９４    係合溝
９５ａ、９５ｂ  シール材
９６    カバー
９７    塞ぎ板部
９８    挿入部
【図１】
2019015086.tif 000003
【図２】
2019015086.tif 000004
【図３】
2019015086.tif 000005
【図４】
2019015086.tif 000006
【図５】
2019015086.tif 000007
【図６】
2019015086.tif 000008
【図７】
2019015086.tif 000009
【図８】
2019015086.tif 000010
【図９】
2019015086.tif 000011